(57)【要約】      （修正有）【課題】吸収性物品の次回の交換予定時刻を容易に確認できる吸収性物品収納袋を提供する。【解決手段】複数枚の吸収性物品２を収納した吸収性物品収納袋１において、該吸収性物品収納袋１の上面部４における前後方向中央部に突設された把手部１０の片面又は両面に、吸収性物品２の交換予定時刻を視認するための時刻表示マーク部１２が印刷され、該時刻表示マーク部１２における吸収性物品２の次回の交換予定時刻と対応する箇所に筆記具により目印を付記できるように構成した。【選択図】図１
0003151161.tif 000002
【実用新案登録請求の範囲】
【請求項１】
複数枚の吸収性物品が収納された吸収性物品収納袋において、該吸収性物品収納袋の上面部における前後方向中央部に突設された把手部の片面又は両面に、１日の時刻を示す時刻表示マーク部が印刷され、該時刻表示マーク部における前記吸収性物品の次回の交換予定時刻と対応する箇所に目印を付記できるように構成したことを特徴とする吸収性物品収納袋。
【請求項２】
複数枚の吸収性物品が収納された吸収性物品収納袋において、該吸収性物品収納袋の上面部における把手部以外であって、取り出し口を形成するための切り取り線の外側面に、１日の時刻を示す時刻表示マーク部が印刷され、該時刻表示マーク部における前記吸収性物品の次回の交換予定時刻と対応する箇所に目印を付記できるように構成したことを特徴とする吸収性物品収納袋。
【請求項３】
上記時刻表示マーク部は、時刻０時から時刻１１までの時間を表示する午前時間表示部分と、時刻１２時から時刻２３時までの時間を表示する午後時間表示部分とから成り、且つ、午前時間表示部分と午後時間表示部分とは互いに離れた個所に印刷されていることを特徴とする請求項１又は２記載の吸収性物品収納袋。
【考案の詳細な説明】
【技術分野】
【０００１】
本考案は、使い捨てテープ止めおむつやパンツ型おむつ、尿パッド等の吸収性物品収納袋に関するものであり、特に、老人ホームなどにおいて老人等の吸収性物品の交換作業を行う際に使用して好適な吸収性物品収納袋に関するものである。
【背景技術】
【０００２】
従来、吸収性物品は肌側の液透過性表面シートと、着衣側の液不透過性の裏面シートと、表面シートと裏面シートとの間に配置される液吸収性の吸収体とから構成され、使用者の股間部に装着して使用される。特に、使用者が、老人ホームや病院に収容された体の不自由な老人や患者等の要介護者である場合は、看護士などの介護者が吸収性物品の交換作業を定期的に１日何回も行っている。
【０００３】
一般的に、前記吸収性物品は、プラスチックフィルムシートから成る吸収性物品収納袋の中に多数枚収納され、該吸収性物品収納袋の上面部には、取り出し口を形成するための切り取り線が円弧状若しくはコ字状に設けられている。
【０００４】
そして、吸収性物品収納袋の中の吸収性物品を使用する際には、吸収性物品収納袋の上面部の一部を前記切り込み線に沿って切り離して取り出し口を形成し、該取り出し口から吸収性物品を１枚ずつ取り出し、取り出した吸収性物品を要介護者の股間部に装着している（例えば、特許文献１参照）。
【先行技術文献】
【特許文献】
【０００５】
【特許文献１】実用新案登録第３０４５０２６号公報
【考案の概要】
【考案が解決しようとする課題】
【０００６】
要介護者の股間部に装着された吸収性物品は、所定時間経過後に定期的に交換する必要があるが、看護士等の介護者は１人で複数の要介護者に対して吸収性物品の交換作業を頻繁に行っている。そのため、介護者は、吸収性物品交換時間の異なる複数の各要介護者に対して、吸収性物品の次回の交換予定時刻を勘違いすることがある。
【０００７】
上記のように、介護者が吸収性物品の次回の交換予定時刻を勘違いして、吸収性物品の交換作業が所定時間よりも遅れた場合には、老人等の要介護者に装着した吸収性物品に許容量以上の排泄物が付着し、該排泄物の一部が股間部から外側に漏出する。その結果、着用者である老人等に多大な不快感を与えるのみならず、室内に異臭が発生するとともに、排泄物の漏出部分が不潔になり非衛生的になるという問題があった。
【０００８】
そこで、個々の要介護者の次回の吸収性物品交換予定時刻を容易に確認でき、吸収性物品の交換遅れを防止し、異臭の発生や不潔感を無くすために解決すべき技術的課題が生じてくるのであり、本考案はこの課題を解決することを目的とする。
【課題を解決するための手段】
【０００９】
本考案は上記目的を達成するために提案されたものであり、請求項１記載の考案は、複数枚の吸収性物品が収納された吸収性物品収納袋において、該吸収性物品収納袋の上面部における前後方向中央部に突設された把手部の片面又は両面に、１日の時刻を示す時刻表示マーク部が印刷され、該時刻表示マーク部における前記吸収性物品の次回の交換予定時
刻と対応する箇所に目印を付記できるように構成したことを特徴とする吸収性物品収納袋を提供する。
【００１０】
この構成によれば、吸収性物品の上面部における把手部に時刻表示マーク部を印刷したので、介護者は装着者に吸収性物品を装着した後に、次回の吸収性物品の交換予定時刻を忘れないように、時刻表示マーク部における次回の交換予定時刻と対応する箇所に筆記具により目印を付記する。依って、介護者は時刻表示マーク部の目印部分を目視することで、次回の吸収性物品の交換予定時刻を確認できる。
【００１１】
請求項２記載の考案は、複数枚の吸収性物品が収納された吸収性物品収納袋において、該吸収性物品収納袋の上面部における把手部以外であって、取り出し口を形成するための切り取り線の外側面に、１日の時刻を示す時刻表示マーク部が印刷され、該時刻表示マーク部における前記吸収性物品の次回の交換予定時刻と対応する箇所に目印を付記できるように構成したことを特徴とする吸収性物品収納袋を提供する。
【００１２】
この構成によれば、吸収性物品収納袋の上面部における把手部以外であって、取り出し口を形成するための切り取り線の外側面に時刻表示マーク部を印刷したので、取り出し口を形成した後でも、介護者は、吸収性物品収納袋の上方から時刻表示マーク部を容易に視認することができる。
【００１３】
請求項３記載の考案は、上記時刻表示マーク部は、時刻０時から時刻１１までの時間を表示する午前時間表示部分と、時刻１２時から時刻２３時までの時間を表示する午後時間表示部分とから成り、且つ、午前時間表示部分と午後時間表示部分とは互いに離れた個所に印刷されていることを特徴とする請求項１又は２記載の吸収性物品収納袋を提供する。
【００１４】
この構成によれば、午前時間表示部分と午後時間表示部分とは互いに離れた個所に印刷されているので、吸収性物品の交換予定時刻を午前と午後で介護者が勘違いして付記若しくは確認するおそれがない。
【考案の効果】
【００１５】
請求項１記載の考案は、介護者は時刻表示マーク部に付記した目印部分を視認することで、次回の吸収性物品の交換予定時刻を容易に確認できるので、吸収性物品の交換遅れを無くすことができる。
【００１６】
斯くして、従来例のように、要介護者に装着された吸収性物品に許容量以上の排泄物が付着して漏出したり、或いは、異臭を発生させるおそれがなく、その結果、要介護者は常時吸収性物品を快適、且つ、清潔な状態で使用することができる。
【００１７】
請求項２記載の考案は、切り取り線に沿って吸収性物品収納袋の上面部に取り出し口を形成した後でも、吸収性物品収納袋の上方から時刻表示マーク部を容易に視認できるので、上面部に取り出し口を形成したタイプの吸収性物品収納袋であっても、次回の吸収性物品の交換予定時刻を容易に確認することができる。
【００１８】
請求項３記載の考案は、午前時間表示部分と午後時間表示部分とを互いに離れた個所に印刷したので、請求項１又は２記載の考案の効果に加えて、介護者は吸収性物品の交換予定時刻を午前と午後で付記ミス若しくは確認ミスを起こすおそれがない。
【図面の簡単な説明】
【００１９】
【図１】本考案の一実施例を示し、吸収性物品収納袋の一部を断面して説明する斜視図。
【図２】図１の吸収性物品収納袋に収納された吸収性物品を例示する斜視図。
【図３】図１の吸収性物品収納袋の上面部に取り出し口を形成したときの状態を示す斜視図。
【図４】一実施例に係る時刻表示マーク部の構成例を拡大して示す詳細図。
【図５】一実施例に係る時刻表示マーク部の上面部の印刷箇所を例示する吸収性物品収納袋の平面図。
【考案を実施するための形態】
【００２０】
本考案は、吸収性物品の次回の交換予定時刻を容易に確認でき、吸収性物品の交換遅れによる排泄物の漏出を防止し、異臭の発生や不潔感を無くすという目的を達成するために、複数枚の吸収性物品が収納された吸収性物品収納袋において、該吸収性物品収納袋の上面部における前後方向中央部に突設された把手部の片面又は両面に、１日の時刻を示す時刻表示マーク部が印刷され、該時刻表示マーク部における前記吸収性物品の次回の交換予定時刻と対応する箇所に目印を付記できるように構成したことによって実現した。
【実施例１】
【００２１】
以下、本考案の好適な実施例を図１乃至図５に従って説明する。図１は本実施例に係る吸収性物品収納袋１を示す。吸収性物品収納袋１はプラスチックフィルムシートより構成され、多数枚、例えば、３０枚乃至５０枚の吸収性物品２が収納されている。また、吸収性物品収納袋１は、本実施例では縦長の略直方体状に形成され、折り畳み状態の吸収性物品２に対応した形状の底面部３及び上面部４と、該底面部３及び上面部４の間に連設した前面部５、背面部６並びに左右両側面部７，７とから成る。
【００２２】
吸収性物品収納袋１の上面部４は、前後方向（図中のＬ−Ｒ方向）を長手方向とする平面視矩形に形成されている。又、上面部４の前側における左右方向中間部には、図２にも示すように、取り出し口（図３中の符号８参照）を形成するための切り取り線（ミシン目線）９が設けられ、切り取り線９は上方へ凸の形状、例えば、円弧状（アーチ状を含む）若しくはコ字状に形成されている。
【００２３】
依って、切り取り線９に沿って上面部４の一部を切り離すことで取り出し口８が開穿され、該取り出し口８から吸収性物品２を吸収性物品収納袋１の外側に取り出すことができる。
【００２４】
図２は吸収性物品２の構成例を示す。同図に示すように、吸収性物品２は、尿等の排出物を吸収するパッド２Ａと、該パッド２Ａの左右両側に起立可能に設けたギャザー２Ｂとを備えている。前記吸収性物品２は、看護士などの介護者が、体の不自由な老人等の装着者（又は身体障害者や病院患者を含む。以下「要介護者」という。）の股間部に装着して使用される。
【００２５】
更に、図１に示すように、上面部４の前後幅方向中央部には、左右方向に延びる帯状の把手部１０が設けられ、把手部１０の左右寸法は上面部４の左右寸法に略一致している。また、把手部１０の左右方向中央部には把持用のグリップ孔１１が形成されている。さらに、該把手部１０には吸収性物品２の交換予定時刻を付記するための時刻表示マーク部１２が印刷されている。
【００２６】
時刻表示マーク部１２は、図４に例示するように、午前の時間を表示する午前時間表示部分１２Ｍと、午後の時間を表示する午後時間表示部分１２Ｐとから構成され、且つ、午前時間表示部分１２Ｍと午後時間表示部分１２Ｐとが互いに離れた個所に印刷されている。本実施例では、同図における把手部１０の右端近傍個所に午前時間表示部分１２Ｍが印刷され、且つ、該把手部１０の左端近傍個所に午後時間表示部分１２Ｐが印刷されている
。
【００２７】
午前時間表示部分１２Ｍには、時刻０時から時刻１１までの時間が図４中における時計回り方向に順次表示されている。同様に、午後時間表示部分１２Ｐには、時刻１２時から時刻２３時までの時間が図４中における時計回り方向に順次表示されている。依って、介護者は、午前時間表示部分１２Ｍと午後時間表示部分１２Ｐにおける吸収性物品２の交換予定時刻と対応する箇所に、筆記具により目印を付記できるように構成されている。
【００２８】
上記時刻表示マーク部１２の印刷個所は、吸収性物品収納袋１の上面部側の見易い個所に任意に設けることができる。上記把手部１０の片面若しくは両面以外の箇所、例えば、取り出し口８が形成された上面部４の外側表面に設けることもできる。この場合、午前時間表示部分１２Ｍと午後時間表示部分１２Ｐは、切り取り線９を挟む左側外面及び右側外面に互いに離間して設けることができる。
【００２９】
叙上の如く本考案によると、吸収性物品収納袋１の上面部４に吸収性物品２の交換予定時刻を示す時刻表示マーク部１２が印刷されているので、介護者は要介護者に吸収性物品２を装着した後に、次回の吸収性物品２の交換予定時刻を忘れないように、時刻表示マーク部１２における次回の交換予定時刻と対応する箇所に筆記具により目印を付記できる。依って、介護者は吸収性物品収納袋１の時刻表示マーク部１２を視認することで、次回の吸収性物品２の交換予定時刻を容易かつ確実に確認できる。
【００３０】
斯くして、介護者は、担当する要介護者の人数が多い場合でも、要介護者に装着した吸収性物品２を予定時刻に交換でき、従来例のように吸収性物品交換遅れに起因して、吸収性物品２に許容量以上の排泄物が付着することを無くすことができる。その結果、排泄物の漏出による異臭の発生を防止でき、要介護者は吸収性物品２を常に清潔に使用できる。
【００３１】
更に、時刻表示マーク部１２は午前時間表示部分１２Ｍと午後時間表示部分１２Ｐとから成り、該午前時間表示部分１２Ｍと午後時間表示部分１２Ｐとは互いに離れた個所に設けられている。そのため、介護者は吸収性物品２の交換予定時刻の目印を記入若しくは確認する際に、午前の時刻と午後の時刻とで付記ミス若しくは確認ミスを起こすことを防止できる。従って、例えば、次回の吸収性物品２の交換予定時刻が午前８時である場合に午後８時と誤って認識する虞はない。
【００３２】
なお、午前時間表示部分１２Ｍと午後時間表示部分１２Ｐは、互いに異なる色で印刷しても良く、このように構成すると、午前の時刻と午後の時刻とで上記目印の付記若しくは確認を一層確実に実行できる。
【００３３】
また、午前時間表示部分１２Ｍと午後時間表示部分１２Ｐは、切り取り線９を挟む互いに反対側の外面に印刷されているので、切り取り線９に沿って取り出し口８を形成した後でも、介護者は、吸収性物品収納袋１の上方から午前時間表示部分１２Ｍと午後時間表示部分１２Ｐを容易に視認できる。従って、上面部４に取り出し口８を有するタイプの吸収性物品収納袋１であっても、次回の吸収性物品２の交換予定時刻を正確に確認することができる。
【００３４】
上記請求項１に係る実施例では、時刻表示マーク部１２は、吸収性物品収納袋１の上面部４における把手部１０に設けたが、上記請求項２に係る実施例では、図５に示すように、吸収性物品収納袋１の上面部４における前面側及び/又は背面側の外面に２箇所以上設けている。
【００３５】
請求項２に係る実施例においても、介護者は時刻表示マーク部１２に付記した目印部分
を視認することで、次回の吸収性物品２の交換予定時刻を容易に確認できるので、吸収性物品２の交換遅れを無くすことができる。
【００３６】
なお、本考案は、本考案の精神を逸脱しない限り種々の改変を為すことができ、そして、本考案が該改変されたものに及ぶことは当然である。
【産業上の利用可能性】
【００３７】
本考案は、取り出し用の切り取り線の形態や吸収性物品の構造などについては上記実施例に限定されるものではなく、複数枚の吸収性物品を収納した吸収性物品収納袋であれば全て適用可能である。
【符号の説明】
【００３８】
１    吸収性物品収納袋
２    吸収性物品
４    上面部
８    取り出し口
９    切り取り線（ミシン目線）
１０  把手部
１２  時刻表示マーク部
１２Ｍ  午前時間表示部分
１２Ｐ  午後時間表示部分
【図１】
0003151161.tif 000003
【図２】
0003151161.tif 000004
【図３】
0003151161.tif 000005
【図４】
0003151161.tif 000006
【図５】
0003151161.tif 000007